(57)【要約】【課題】量産品、安価な商品を加工対象とし、さらに加工コストも抑制しつつ、オリジナルな加工を施すことにより個性を発揮した商品を提供する。【解決手段】商品販売システム１０において、ユーザＰＣ端末１１Ａ及びインターネット１４を介して、前記商品の包装に施す印刷デザインの指定を受け付け、印刷用画像データを生成する受注サーバ１６と、印刷用画像データにより指定された印刷デザインに基づいてプリンタを制御し、一次元的あるいは二次元的に配置された複数の前記商品の印刷面に一度の印刷工程で印刷を施すプリントサーバ１９と、を備える。【選択図】図１
2012008892.tif 000002
【特許請求の範囲】
【請求項１】
通信ネットワークを介して接続された発注端末から発注情報を受信し、当該発注情報に対応する商品の販売を行う商品販売システムにおいて、
前記発注端末及び通信ネットワークを介して、前記商品に施す印刷デザインの指定を受け付け、印刷用画像データを生成する受注サーバと、
前記印刷用画像データにより前記指定された印刷デザインに基づいてプリンタを制御し、一次元的あるいは二次元的に配置された複数の前記商品の印刷面に一度の印刷工程で印刷を施すプリントサーバと、
を備えたことを特徴とする商品販売システム。
【請求項２】
請求項１記載の商品販売システムにおいて、
前記商品は、個包装された商品であり、
前記プリントサーバは、一度の印刷工程で複数の商品の個包装に印刷を施すことを特徴とする商品販売システム。
【請求項３】
請求項１または請求項２記載の商品販売システムにおいて、
前記商品の印刷面は三次元形状を有しており、前記プリンタの記録ヘッドを相対的に前記三次元形状に沿って駆動することにより、前記印刷面に印刷を施すことを特徴とする商品販売システム。
【請求項４】
請求項１乃至請求項３のいずれかに記載の商品販売システムにおいて、
前記プリントサーバは、複数の前記商品を複数のグループに分け、前記一回の印刷工程でグループ毎に異なる画像を印刷させることを特徴とする商品販売システム。
【請求項５】
請求項１乃至請求項４のいずれかに記載の商品販売システムにおいて、
前記プリントサーバからの印刷完了の通知を受けて前記印刷デザインが施された商品の配送管理を行う管理サーバを備えたことを特徴とする商品販売システム。
【請求項６】
請求項１乃至請求項５のいずれかに記載の商品販売システムにおいて、
前記発注端末は、ユーザ端末あるいは実店舗に配備された実店舗端末であることを特徴とする商品販売管理システム。
【請求項７】
請求項１乃至請求項６のいずれかに記載の商品販売システムにおいて、
前記管理サーバは、前記配送管理に伴って、前記商品の販売及び配送にかかる課金処理を行うことを特徴とする商品販売システム。
【発明の詳細な説明】
【技術分野】
【０００１】
本発明は、商品販売システムに係り、特に通信ネットワークを介して発注者あるいは発注者の依頼を受けた実店舗の発注代行者による注文をオンラインで受け付けて商品を販売する商品販売システムに関する。
【背景技術】
【０００２】
従来から、既存の商品に、名入れをしたり、画像を印刷するなど、オリジナルなデザインを施すことが一般的に行われている。
しかし、既存の商品にオリジナルなデザインを施す場合には、そのコストが高くつくことから、一般には、量産性に乏しく比較的高額な商品が対象になっていた。ノベルティ商品や記念品などに商品の提供者名の名入れや、記念すべき内容を表す記載を印刷するなど、量産性に富み比較的安価な既存の商品にオリジナルなデザインを施す場合もあるが、この場合においては、そのコスト面から考えて、かなりの数量について同一のオリジナルデザインを施す必要があった。
【０００３】
換言すれば、量産性のある比較的単価の低い商品については、コスト等の観点から画一的なデザインを施すことが一般的であり、個性を出しづらいという問題点があった。
より具体的には、例えば、チョコレート、キャラメルなど個包装されている商品やボールペン等の文具など比較的単価の安い商品については、一品ごとにオリジナルなデザインを施すことは、コスト的にも困難であり、個性を出しづらいこととなっていた。
【先行技術文献】
【特許文献】
【０００４】
【特許文献１】特開２００６−２４４１９３号公報
【発明の概要】
【発明が解決しようとする課題】
【０００５】
ところで、現代人のニーズとしては、自分しか持っていない商品（オリジナル商品）を求めつつも、そのための手間やコストは、できるだけかけないようにしたいということがある。
そこで、本発明の目的は、量産品、安価な商品を加工対象とし、さらに加工コストも抑制しつつ、オリジナルな加工を施すことにより個性を発揮した商品を提供することが可能な商品販売システムを提供することにある。
【課題を解決するための手段】
【０００６】
上記課題を解決するために、本発明の第１態様は、通信ネットワークを介して接続された発注端末から発注情報を受信し、当該発注情報に対応する商品の販売を行う商品販売システムにおいて、前記発注端末及び通信ネットワークを介して、前記商品に施す印刷デザインの指定を受け付け、印刷用画像データを生成する受注サーバと、前記印刷用画像データにより前記指定された印刷デザインに基づいてプリンタを制御し、一次元的あるいは二次元的に配置された複数の前記商品の印刷面に一度の印刷工程で印刷を施すプリントサーバと、を備えたことを特徴としている。
【０００７】
上記構成によれば、受注サーバは、発注端末及び通信ネットワークを介して、商品に施す印刷デザインの指定を受け付け、印刷用画像データを生成する。
これにより、プリントサーバは、印刷用画像データにより指定された印刷デザインに基づいてプリンタを制御し、一次元的あるいは二次元的に配置された複数の前記商品の印刷面に一度の印刷工程で印刷を施す。
したがって、簡易な工程で量産品、安価な商品を印刷対象として、印刷コストも抑制しつつ、オリジナルな印刷を施すことが可能となる。
【０００８】
また、本発明の第２態様は、第１態様において、前記商品は、個包装された商品であり、前記プリントサーバは、一度の印刷工程で複数の商品の個包装に印刷を施すことを特徴としている。
上記構成によれば、プリントサーバは、一度の印刷工程で複数の商品の個包装に印刷を施す。
したがって、個包装された安価な商品であっても、印刷対象として印刷コストも抑制しつつ、オリジナルな印刷を施すことが可能となる。
【０００９】
また、本発明の第３態様は、第１態様または第２態様において、前記商品の印刷面は三次元形状を有しており、前記プリンタの記録ヘッドを相対的に前記三次元形状に沿って駆動することにより、前記印刷面に印刷を施すことを特徴としている。
上記構成によれば、印刷面が三次元形状を有している場合でも、一度の印刷工程で複数の商品に印刷を施すことが可能となる。
また、本発明の第４態様は、第１態様乃至第３態様のいずれかにおいて、前記プリントサーバは、複数の前記商品を複数のグループに分け、前記一度の印刷工程でグループ毎に異なる画像を印刷させることを特徴としている。
上記構成によれば、一度の印刷工程でグループ毎に異なる画像を印刷することができ、オリジナルな加工をより少ない商品に対して施すことが可能となる。
【００１０】
また、本発明の第５態様は、第１態様乃至第４態様のいずれかにおいて、前記プリントサーバからの印刷完了の通知を受けて前記印刷デザインが施された商品の配送管理を行う管理サーバを備えたことを特徴としている。
上記構成によれば、管理サーバは、プリントサーバからの印刷完了の通知を受けて印刷デザインが施された商品の配送管理を行うので、配送管理の自動化を図ることができ、よりいっそうのコストの低減を図り、トータルの加工コストを低減しつつ、オリジナルな商品を手に入れたいという発注者の要求を満たすことが可能となる。
【００１１】
本発明の第６態様は、第１態様乃至第５態様のいずれかにおいて、前記発注端末は、ユーザ端末あるいは実店舗に配備された実店舗端末であることを特徴としている。
上記構成によれば、発注者であるユーザが自己の端末であるユーザ端末を介して発注をかけたり、実店舗に配備された実店舗端末を介して発注をかけたりできるので、発注者としては、発注可能な場所が増えて利便性が向上するとともに、商品販売者側は、発注件数の増加が見込めるため、双方においてメリットとなる。
本発明の第７態様は、第１態様乃至第６態様のいずれかにおいて、前記管理サーバは、配送管理に伴って、商品の販売及び配送にかかる課金処理を行うので、個包装の商品の注文から受け取りに加えて、決済処理までワンストップサービスで提供できる。
【発明の効果】
【００１２】
本発明によれば、量産品、安価な商品を加工対象とし、さらに加工コストも抑制しつつ、オリジナルな加工を施すことにより個性を発揮した商品を提供することができるという効果を奏する。
【図面の簡単な説明】
【００１３】
【図１】実施形態の商品販売システムの概要構成ブロック図である。
【図２】商品販売システムにおけるＰＣユーザ端末と受注サーバとの間の処理シーケンスチャートである。
【図３】ホームページのサイトマップの説明図である。
【図４】ホームページのトップページの表示例の説明図である。
【図５】デザイン作成ページの一例の説明図である。
【図６】受注完了から商品発送までの処理に関する処理シーケンスチャートである。
【図７】複数の商品に一回のプリント処理で印刷を行う場合の説明図である。
【発明を実施するための形態】
【００１４】
次に本発明の好適な実施の形態について図面を参照して説明する。
図１は、実施形態の商品販売システムの概要構成ブロック図である。
商品販売システム１０は、商品を発注する購買者（発注者）が操作するマイクロコンピュータとして構成されたユーザＰＣ端末１１Ａと、コンビニエンスストアなどの実店舗に配置され、商品を発注する購買者（発注者）の依頼を受けて店員が操作するマイクロコンピュータとして構成された実店舗端末１１Ｂと、商品を発注する購買者が操作するマイクロコンピュータとして構成された携帯電話端末１２と、携帯電話端末１２からの電波を受信する無線基地局１３と、無線基地局１３を通信ネットワークとしてのインターネット１４に接続する電話回線網１５と、ユーザＰＣ端末１１Ａ、実店舗端末１１Ｂあるいは携帯電話端末１２は、発注端末として機能し、商品個包装に施す印刷デザインの作成を行わせるためのデザイン作成画面を表示させるともに、ユーザＰＣ端末１１Ａ、実店舗端末１１Ｂあるいは携帯電話端末１２からの印刷デザインデータを含む発注情報を受け付ける受注サーバ１６と、受注サーバに一時的に格納している印刷デザインデータをダウンロードするダウンロードサーバ１７と、ダウンロードサーバ１７がダウンロードした印刷デザインデータに基づいてユーザが指定した商品の包装に専用のプリンタ１８により印刷を施すプリントサーバ１９と、受注サーバ１６、ダウンロードサーバ１７及びプリントサーバ１９を管理するとともに、課金管理などを行う管理サーバ２０と、を備えている。
【００１５】
ここで、発注端末としてのユーザＰＣ端末１１Ａは、実際には、商品販売システム１０内に複数存在しており、インターネット１４に接続可能な写真画像などに対応する画像データを生成しユーザＰＣ端末１１Ａに入力するためのディジタルカメラ２１および写真、雑誌などから画像を取り込んで、画像データ生成し、ユーザＰＣ端末１１Ａに入力するためのスキャナ２２が接続されている。
同様に、発注端末としての実店舗端末１１Ｂは、複数の実店舗に配置されており、写真画像などが記録されたメモリカード、ディジタルカメラ、携帯電話端末等から画像データを直接読み込んで、実店舗端末１１Ｂに入力するためのカードリーダ２３および写真などから画像を取り込んで、画像データ生成し、実店舗端末１１Ｂに入力するためのスキャナ２２が接続されている。
また、プリンタ１８は、例えば、インクを吐出して印刷を行うインクジェット方式のプリンタとして構成されている。
【００１６】
図２は、商品販売システムにおける発注端末と受注サーバとの間の処理シーケンスチャートである。
この場合において、発注端末としてのユーザＰＣ端末１１Ａおよび実店舗端末１１Ｂは、同様の機能であるので、図２の説明においては、発注端末として、ユーザＰＣ端末１１Ａを用い、購買者がユーザＰＣ端末１１Ａを介して、所定の商品の包装（個包装）に印刷させる印刷デザインデータの作成および発注を行うものとして説明する。
まず、購買者は、ＰＣユーザ端末１１Ａを操作し、インターネット１４を介して受注サーバ１６上に構築された所望の購買対象商品（例えば、１個ずつ個包装されたチョコレート、ガム、クッキーなど）毎のホームページにアクセスする（ステップＳ１１）。なお、複数の購買対象商品を選択可能なホームページにアクセス後、各購買対象商品毎のデザイン作製ページへアクセスするように構成することも可能である。
【００１７】
図３は、ホームページのサイトマップの説明図である。
図４は、ホームページのトップページの表示例の説明図である。
購買者がホームページにアクセスした場合に最初に表示されるトップページＨＰ１は、大別すると複数のメニューボタンが表示されたメニュー表示領域３１と、所定のトップページ画像が表示された画像表示領域３２と、印刷デザインデータの作成ページへ移行することを指示するためのデザイン作成画面移行ボタン３３と、を備えている。
【００１８】
購買者が受注サーバ１６上のホームページにアクセスし（ステップＳ１１）、トップページＨＰ１のデザイン作成画面移行ボタン３３を図示しないマウスによりクリックすると、デザイン作成ページＨＰ１１を表示する（ステップＳ１２）。
【００１９】
図５は、デザイン作成ページの一例の説明図である。
デザイン作成ページＨＰ１１は、大別すると、編集中のデザイン画像が表示される編集デザイン（画像）表示領域４１と、編集中のデザイン画像に文字あるいは絵文字などをマウスのクリックすることにより入力するための文字（スタンプ）選択領域４２と、複数種類のフレーム画像Ｆ１〜Ｆｎが表示され、編集中のデザイン画像に挿入するフレーム画像を選択するためのフレーム選択領域４３と、複数（本実施形態では３枚）の完成デザイン画像Ｇ１〜Ｇ３が表示される完成デザイン（画像）表示領域４４と、編集中のデザイン画像に挿入する画像を選択する画像データ選択領域４５と、編集中のデザイン画像に含まれるオブジェクト（画像、文字）に対する編集処理を指示するための画像編集処理指示領域４６と、編集中のデザイン画像をリセットするためのリセットボタン４７と、編集中のデザイン画像を確定するための決定ボタン４８と、商品発送予定日を表示する商品発送予定日表示領域４９と、購入内容確認ページへ移行するための確認ページ移行ボタン５０と、を備えている。
【００２０】
ここで、画像編集処理指示領域４６は、編集デザイン表示領域４１において表示されている編集中画像を構成するデザイン構成部材であるオブジェクト（文字、フレーム等）のうち選択したオブジェクトの色を変更する指示を行うための色変更ボタンが複数表示された色変更ボタン表示領域５１と、編集中画像を構成するオブジェクト（画像、文字、フレーム等）を右回転あるいは左回転させるための回転指示ボタンが表示された回転指示ボタン表示領域５２と、編集中画像を構成するオブジェクト（画像、文字、フレーム等）の表示倍率を変更するための操作バーが表示された拡大・縮小指示領域５３と、を備えている。この場合において、オブジェクトに対する処理としては、回転、拡大縮小のみならず、斜体、強調、下線付加、変形（揺らぎ、ぼかし等）の各種処理を行うようにすることも可能であり、文字については、フォントを選択できるようにすることも可能である。
【００２１】
また、完成デザイン表示領域４４において、購買者が表示されている完成デザイン画像Ｇ１〜Ｇ３をクリックすると、再度編集デザイン表示領域４１に画像が表示され、再度編集を行うことができるようになっている。この場合において、既に編集デザイン表示領域４１に画像が表示されている場合には、当該画像を完成デザイン表示領域４４に新規あるいは上書きして表示させた後に、再度編集対象とする画像を編集デザイン表示領域４１に表示することとなる。
デザイン作成ページＨＰ１１において、購買者が編集を終了し、確認ページ移行ボタン５０をクリックすると、購入内容確認ページＨＰ２１に移行し、購買者に対し購入内容が正しいか否かを入力させ、購入内容が正しい旨の指示が入力されると、ユーザＰＣ端末１１Ａは、完成デザイン表示領域４４に表示されている完成デザイン画像に対応するデザインデータを受注サーバ１６に送信する（ステップＳ１４）。
【００２２】
受注サーバ１６に対し、完成デザイン画像に対応するデザインデータが送信されると、受注サーバ１６は、商品の購入確認や、配送先、支払い方法等を入力させるための複数のデータ入力画面を順次表示し（ステップＳ１５）、購買者にデータ入力を行わせ（ステップＳ１６）、入力データを送信させる（ステップＳ１７）。
【００２３】
具体的には、受注サーバ１６は、まず、表示画面を購入内容を再度確認するためのショッピングカートページＨＰ２２を表示し、購買者に完成デザインに対応する商品の購入の確認を促すこととなる。
購買者がショッピングカートページＨＰ２２において、購入の確認を行うと、続いて受注サーバ１６は、注文者である購買者の情報を入力させるための注文者情報入力ページＨＰ２３をユーザＰＣ端末１１Ａの表示画面に表示させ、購買者の氏名、商品の発送先住所、連絡先電子メールアドレス、電話番号などの注文者情報の入力を促すこととなる。
【００２４】
さらに注文者情報入力ページＨＰ２３において、注文者情報が入力され、その入力の確認操作がなされると、受注サーバ１６は、ログインページＨＰ２４をユーザＰＣ端末１１Ａの表示画面に表示し、購買者による商品購入の最終確認がなされると、配送方法入力ページＨＰ２５を表示して、配送方法として、郵便による配送、宅配便による配送のいずれであるかの配送方法情報の入力を促すこととなる。
【００２５】
そして配送方法入力ページＨＰ２５において配送方法情報が入力され、その入力の確認操作がなされると、受注サーバ１６は、支払い方法入力ページＨＰ２６をユーザＰＣ端末１１Ａの表示画面に表示して、支払い方法として、代金引換決済、銀行振込決済、クレジット決済のいずれであるかの支払い方法情報の入力を促すこととなる。
そして、支払い方法入力ページＨＰ２６において、決済方法情報が入力され、その入力の確認操作がなされると、受注サーバ１６は、任意入力のアンケート入力ページＨＰ２７をユーザＰＣ端末１１Ａの表示画面に表示して、アンケートの入力を促すこととなる。
【００２６】
アンケート入力ページＨＰ２７において、アンケートの入力あるいはアンケートの入力を行わない旨の操作がなされると、受注サーバ１６は、それまでに入力した注文内容（商品、購入個数、デザインデータの内容、配送方法、支払い方法、アンケート内容など）を確認するための注文内容確認ページＨＰ２８をユーザＰＣ端末１１Ａの表示画面に表示して確認を促すこととなる。
そして、注文内容確認ページＨＰ２８において、注文内容の確認がなされると、ユーザＰＣ端末１１Ａは、それらの入力データを送信する（ステップＳ１７）。
【００２７】
これにより、受注サーバ１６は、支払い方法がクレジット決済か否かを判別する（ステップＳ１８）。
ステップＳ１８の判別において、購買者の選択した決済方法がクレジット決済である場合には（ステップＳ１８；Ｙｅｓ）、クレジット決済による課金処理を行う旨を購買者に通知するための決済ページＨＰ２９をユーザＰＣ端末１１Ａの表示画面に表示し（ステップＳ１９）、クレジットカード番号、有効期限、クレジット契約者氏名等のクレジットデータの入力を促す（ステップＳ２０）。
【００２８】
そして購買者によりそれらの入力されたクレジットデータの確認がなされると、ユーザＰＣ端末１１Ａは、入力されたクレジットデータを受注サーバ１６に送信する（ステップＳ２１）。
クレジットデータを受信した場合、あるいは、購買者がクレジット決済以外の決済方法を選択していた場合には、受注サーバ１６は、購入処理が完了した旨を購買者に通知するための購入完了ページＨＰ３０を表示する注文完了表示を行い（ステップＳ２２）、電子メールアドレスが入力されていた場合には、注文完了通知としての電子メールをユーザＰＣ端末１１Ａに対して送信することとなる（ステップＳ２３）。
【００２９】
次に受注（注文）完了から商品発送までの処理について説明する。
図６は、受注完了から商品発送までの処理に関する処理シーケンスチャートである。
受注が完了した受注サーバ１６は、入力されたデザインデータに基づいてプリント画像データを生成し、図示しないハードディスク装置などに一時的に格納しておくこととなる（ステップＳ３１）。
【００３０】
一方、ダウンロードサーバ１７は、受注サーバ１６が一時的に格納しているプリント用画像データのうち、ダウンロード対象とするデータ範囲を指定し（ステップＳ３２）、当該指定したデータ範囲のプリント画像データのダウンロード要求を受注サーバ１６に対して行う（ステップＳ３３）。
【００３１】
これにより受注サーバ１６は、ダウンロード要求により指定された範囲のプリント画像データをダウンロードサーバにデータ転送する（ステップＳ３４）。
この結果、プリントサーバ１９は、ダウンロードサーバ１７に転送されたプリント画像データのうち、１回の印刷で処理可能なプリント画像データのデータ範囲を指定し（ステップＳ３５）、印刷指示をダウンロードサーバ１７に対して行う（ステップＳ３６）。
【００３２】
これによりダウンロードサーバ１７は、印刷指示により指定された範囲のプリント画像データをプリントサーバ１９にデータ転送する（ステップＳ３７）。
この結果、プリントサーバ１９は、データ転送されたプリント画像データに基づいて実際にプリンタ１８に印刷させるためのプリントデータとしてデータ転送し（ステップＳ３８）、プリンタ１８にプリント処理を行わせる（ステップＳ３９）
【００３３】
より具体的には、プリントデータとしては、例えば、数センチ角のキューブ状あるいは四角錐台形状の個包装されたチョコレートにプリント画像データに対応する画像を印刷する場合には、プリンタには、この個包装されたチョコレートをｎ×ｍ個（ｎ、ｍは自然数。ただし、少なくともいずれか一方は２以上。）保持可能な印刷用パレットに配置して同時にｎ×ｍ個のチョコレートに対して一回のプリント処理で行うこととなる。この場合に、確実に各チョコレートの包装に印刷を行うために、印刷面の高さを一定にさせるべく、印刷領域が開口された薄いマスク板でｎ×ｍ個のチョコレートを覆うように構成することも可能である。
【００３４】
図７は、複数の商品に一回のプリント処理で印刷を行う場合の説明図である。
具体的には、図７に示すように、ｎ＝３、ｍ＝４として、印刷用パレット６１に１２個の個包装されたチョコレートＣ１１〜Ｃ４３を二次元的に配置し、この二次元的に配置されたチョコレートＣ１１〜Ｃ４３に対して１回のプリント処理（印刷ヘッドの主走査方向への走査およびチョコレートの副走査方向への搬送）で印刷が完了するようにプリント画像データに基づいてプリントサーバ１９は、データ変換を行ってプリントデータを生成してデータ転送することとなる。なお、チョコレート（商品）の個数が少ない場合などには、図７において、プリンタ１８の記録ヘッドの主走査方向を左右方向とした場合には、ｎ＝１として、１次元的（直線状）に配置すれば、効率的に印刷が行える。
【００３５】
この場合に、全てのチョコレートＣ１１〜Ｃ４３の個包装に対して同一の完成デザイン画像を印刷することも、チョコレートＣ１１〜Ｃ４３を複数のグループに分け、各グループに別個の完成デザインを印刷することも可能である。また、逆に複数のチョコレートの個包装に対して一の完成デザイン画像を分割して印刷する（例えば、２×３個の計６個のチョコレートの包装で、１つの画像を形成）ようにすることも可能である。
【００３６】
そして印刷が完了すると、プリンタ１８は、プリントサーバ１９に対してプリント完了通知を行い（ステップＳ４０）、プリントサーバ１９は、プリントが完了したことを表示画面に表示するとともに（ステップＳ４１）、このプリント完了通知を管理サーバ２０に通知することとなる。
この結果、管理サーバ２０は、発送（配送）の手配、すなわち、梱包指示、宅配便などの配送業者への依頼などの発送処理を行い（ステップＳ４２）、さらに必要に応じてクレジット決済などの課金処理を行って処理を終了する（ステップＳ４３）。
【００３７】
以上の説明のように本実施形態によれば、顧客の所望のデザインの印刷が施された個包装の商品の注文から受け取りまでをオンラインショップにおいて、いわゆるワンストップサービスで提供できる。
以上の説明は、印刷面が平面の場合であったが、商品がゴルフボールのように球状の場合や、茶筒のように円筒形状の場合など、印刷面が３次元形状を有している場合には、プリンタ１８の記録ヘッドが商品の印刷面に対して沿うように、商品あるいは記録ヘッドを相対的に移動させるとともに、印刷面に対してほぼ垂直方向に記録ヘッドを配置し、プリンタ１８をインクジェットプリンタとして構成した場合には、印刷面に対して吐出したインクが印刷面に対して垂直方向から塗布されるように構成するのが好ましい。具体的には、記録ヘッドを主走査方向に垂直な平面と直交する平面内で回動可能な構成としたり、さらに記録ヘッドを主走査方向に垂直な平面内で回動可能な構成とすればよい。また、商品を保持する印刷用パレット側は、記録ヘッドに対する距離や向きが変更可能な構成とすればよい。なお、商品が複雑な形状を有している場合には、印刷面に対して最適な位置に記録ヘッドを配置しようとすると、商品の他の部分と干渉することも考えられるので、記録ヘッドの形状などに応じてできる限り干渉しないように記録ヘッドと商品との相対的な位置関係を調整する必要がある。
この構成によれば、プリンタ１８の記録ヘッドは、見かけ上、平らな印刷面に印刷している場合と同等となり、色混じりや、滲み、ぼけなどを抑制して印刷品質を向上することが可能である。
以上の説明は、発注をユーザＰＣ端末１１Ａで行う場合について説明したが、携帯電話端末１２から、無線基地局１３及び電話回線網１５を介して同様の処理を行うように構成することも可能である。
【００３８】
また、以上の説明は、発注をユーザＰＣ端末１１Ａで行う場合であったが、変形例としては、発注を実店舗に配備された実店舗端末１１Ｂで行うようにすることも可能である。
この場合には、顧客は、実店舗に赴いて、印刷を施すことが可能な商品見本コーナーから印刷対象の商品を選択して、当該実店舗の店員にその旨を伝え、使用する画像、文字種、文字配置、文字色、印刷対象の商品などを指定するための申込用紙に記入する。なお、この場合には、画像、文字種、文字配置、文字色等を予め組み合わせとして設定したものを選択するように構成することも可能である。
【００３９】
さらに、画像データが記憶されたメモリカード、ディジタルカメラ、携帯電話端末などを持参した場合には、これらをカードリーダ２３に接続し、画像データを取り込むこととなる。また、印画紙の写真などを持ち込んだ場合には、スキャナ２４により画像を読み込んで画像データとして生成することとなる。
これらにより、店員は，当該申込用紙の記載に基づいて、受注サーバ１６に対して、上述したユーザＰＣ端末１１Ａと同様の手順で発注を行うこととなる。この場合において、申込用紙は、スキャナ２４に読み込まれて受注サーバ１６に転送されて、最終的には管理サーバ２０に転送されて管理されることとなる。
この場合において、その場でデザイン見本を顧客に提示し、了解してもらうようにするのがより好ましい。
【００４０】
また、印刷が完了した商品の受け取りについては、当該実店舗における受け取りあるいは自宅や特定の配送先への配送を選択することができるので、配送方法および配送料金を含めた料金を支払って、依頼が完了する。
以上の説明のように、本変形例によれば、顧客は、ユーザＰＣ端末を保有していない場合や、操作が行えない場合であっても、実店舗の店員に実質的に操作を肩代わりしてもらうことで、オンラインショップで購入する場合と同様の手軽さで商品を手に入れることが可能となる。
【００４１】
以上の説明においては、購入対象商品毎にホームページを構築していたので、デザイン作成後に他の商品に変更する構成を採ってはいなかったが、購入対象商品を変更した場合には、印刷領域（デザイン対象領域）も変更されるので、このような場合には、既に作製された印刷デザインを新たな購入対象商品に適用可能なように自動的に拡大縮小などの変形処理を行って購買者に提示するように構成することも可能である。あるいは、一つの印刷デザインに対し、複数の商品に適用した場合の画像を提示して、他の商品の購入を促すように構成することも可能である。
以上の説明においては、商品が個包装されていることを前提に、各個包装に印刷を行う場合について説明したが、個包装に限らず、商品そのものあるいは複数の商品を収納した包装に印刷を施す場合であれば、同様に適用が可能である。この場合においても、商品をｎ×ｍ個（ｎ、ｍは自然数。ただし、少なくともいずれか一方は２以上。）保持可能な印刷用パレットに配置して同時にｎ×ｍ個の商品に対して一回のプリント処理で行うこととなる。この場合に、確実に各商品の包装に印刷を行うために、印刷面の高さを一定にさせるべく（同一平面上に印刷面が配置されるように）、印刷領域が開口された薄いマスク板でｎ×ｍ個の商品を覆うように構成することも可能である。
【符号の説明】
【００４２】
１０  商品販売システム
１１Ａ、１１Ｂ  ユーザＰＣ端末（発注端末）
１２  携帯電話端末
１３  無線基地局（通信ネットワーク）
１４  インターネット（通信ネットワーク）
１５  電話回線網（通信ネットワーク）
１６  受注サーバ
１７  ダウンロードサーバ
１８  プリンタ
１９  プリントサーバ
２０  管理サーバ
【図１】
2012008892.tif 000003
【図２】
2012008892.tif 000004
【図３】
2012008892.tif 000005
【図４】
2012008892.tif 000006
【図５】
2012008892.tif 000007
【図６】
2012008892.tif 000008
【図７】
2012008892.tif 000009